(57)【要約】【課題】実際のゴルフコースの起伏を想定してショット練習台を自由に傾斜させることができ、しかも、傾斜させたショット練習台上でゴルフボールを確実に止めることができ、引いては、実際のゴルフコースでの様々な傾斜面を想定した斜面ショットの練習を行うことができるゴルフ練習機を得る。【解決手段】ゴルフ練習機において、ショット練習台２０と、該ショット練習台２０を水平面に対して傾斜自在に支持する練習台支持機構１００とを備え、該ショット練習台２０を傾斜させたときに、該ゴルフボールがショット練習台のボール配置領域から動かないよう、該ゴルフボールを、空気吸引装置１４０で発生した吸引空気流により吸着するようにした。【選択図】図２
2009119228.tif 000002
【特許請求の範囲】
【請求項１】
傾斜したショット練習台を有するゴルフ練習機に含まれ、該傾斜したゴルフ練習台上でゴルフボールを保持するゴルフボール保持機構であって、
該傾斜したショット練習台の表面に、空気の吸い込みが行われるよう形成された空気吸入孔と、
該空気吸入孔上に配置されたゴルフボールが、該空気吸入孔に吸入される空気流により吸着されるよう、該空気吸入孔を通しての空気の吸引を行う空気吸引装置と
を有するゴルフボール保持機構。
【請求項２】
ゴルフボールのショット練習を行うためのゴルフ練習機であって、
該ゴルフボールを置くボール配置領域と、利用者がショット練習時に立つ足場領域とを有し、水平面に対して傾斜したショット練習台と、
該ボール配置領域に配置したゴルフボールが動かないよう、該ゴルフボールを空気流により吸着するボール吸着機構と
を備えたゴルフ練習機。
【請求項３】
請求項２に記載のゴルフ練習機において、
前記ボール吸着機構は、
前記ショット練習台のボール配置領域に、空気の吸い込みが行われるよう形成された空気吸入孔と、
空気を吸引する空気吸引装置と、
該空気吸引装置の空気吸引口と該空気吸入孔との間に接続されたチューブ部材とを有するゴルフ練習機。
【請求項４】
ゴルフボールのショット練習を行うためのゴルフ練習機であって、
該ゴルフボールを置くボール配置領域と、利用者がショット練習時に立つ足場領域とを有するショット練習台と、
該ショット練習台を水平面に対して傾斜自在に支持する練習台支持機構と、
該ショット練習台を傾斜させたときに、該ゴルフボールが該ボール配置領域の所定位置から動かないよう、該ゴルフボールを空気流により吸着するボール吸着機構と
を備えたゴルフ練習機。
【請求項５】
請求項４に記載のゴルフ練習機において、
前記ボール吸着機構は、
前記ショット練習台のボール配置領域に、空気の吸い込みが行われるよう形成された空気吸入孔と、
該空気吸入孔上に配置されたゴルフボールが、該空気吸入孔に吸入される空気流により吸着されるよう、該空気吸入孔を通しての空気の吸引を行う空気吸引装置とを有するゴルフ練習機。
【請求項６】
請求項４に記載のゴルフ練習機において、
前記練習台支持機構は、
設置床面に固定される固定基板と、
該固定基板上に固定され、前記ショット練習台を第１の点で傾斜自在に支持する固定支柱と、
該固定基板に対して傾斜自在に取り付けられ、該ショット練習台を第２の点で支持する伸縮自在な第１の可動支柱と、
該固定基板に対して傾斜自在に取り付けられ、該ショット練習台を第３の点で支持する伸縮自在な第２の可動支柱とを有し、
該ショット練習台を３点で支持するものであるゴルフ練習機。
【請求項７】
請求項４に記載のゴルフ練習機において、
前記練習台支持機構は、
設置床面に固定される固定基板と、
該固定基板上に固定され、前記ショット練習台を第１の点で傾斜自在に支持する固定支柱と、
該固定基板に対して傾斜自在に取り付けられ、該ショット練習台を第２の点で支持する伸縮自在な第１の可動支柱と、
該固定基板に対して傾斜自在に取り付けられ、該ショット練習台を第３の点で支持する伸縮自在な第２の可動支柱と、
該固定基板に対して傾斜自在に取り付けられ、該ショット練習台を第４の点で支持する伸縮自在な第３の可動支柱とを有し、
該ショット練習台を４点で支持するものであるゴルフ練習機。
【請求項８】
請求項７に記載のゴルフ練習機において、
該第３の可動支柱を可動状態と可動不可能な状態とで切り替えるブレーキ機構とを備え、
前記ショット練習台の角度調整中は該ブレーキ機構を緩め、前記ショット練習台の角度調整中は該ブレーキ機構を締めるゴルフ練習機。
【請求項９】
請求項４に記載のゴルフ練習機において、
該練習台支持機構は、
前記第１および第２の可動支柱の一端をそれぞれ、前記固定支柱の根元部分に回動可能に取り付けたものであるゴルフ練習機。
【請求項１０】
請求項４に記載のゴルフ練習機において、
前記第１の可動支柱は、
筒状部材と、該筒状部材にその一端側開口から突出するよう、該筒状部材内でスライド自在に挿入されたロッド部材とを有し、該筒状部材の他端を、該筒状部材が前記固定支柱の中心軸を含む第１の平面内で傾斜自在となるよう、該固定部材に対して接続し、該ロッド部材の先端を、該ロッド部材が該第１の平面内で傾斜自在となるよう前記ショット練習台に接続したものであり、
前記第２の可動支柱は、
筒状部材と、該筒状部材にその一端側開口から突出するよう、該筒状部材内でスライド自在に挿入されたロッド部材とを有し、該筒状部材の他端を、該筒状部材が該固定支柱の中心軸を含む、該第１の平面と直交する第２の平面内で傾斜自在となるよう、該固定部材に対して接続し、該ロッド部材の先端を、該ロッド部材が該第２の平面内で傾斜自在となるよう該ショット練習台に接続したものであるゴルフ練習機。
【請求項１１】
請求項１０に記載のゴルフ練習機において、
前記第１および第２の可動支柱にはそれぞれ、前記ロッド部材をこれが前記筒状部材から出没するよう駆動するモータが取り付けられているゴルフ練習機。
【請求項１２】
請求項１１に記載のゴルフ練習機において、
前記ショット練習台は、金属製基板と、該金属製基板上に取り付けられたゴム製シート部材とを有し、
該ショット練習台の、前記ボール配置領域および前記足場領域を含む打席領域は、該ボール配置領域およびその周辺領域を該打席領域の他の部分より一段低くしたものであるゴルフ練習機。
【請求項１３】
請求項１２に記載のゴルフ練習機において、
前記ショット練習台の打席領域は、前記ボール配置領域の、前記ゴルフボールのショット方向とは反対側に位置し、該ゴルフボールを収容するボール収容領域を有し、該ボール収容領域は、該ボール配置領域およびその周辺領域より一段低くなっているゴルフ練習機。
【請求項１４】
請求項１３に記載のゴルフ練習機において、
前記ボール収容領域の表面には平面格子形状の隆起部が形成されているゴルフ練習機。
【請求項１５】
請求項１３に記載のゴルフ練習機において、
前記ボール配置領域には人工芝マットが配置されており、
該人工芝マットは、前記足場領域に近い領域を、ゴルフコースのファエウエイを想定したフェアウエイ用マットで構成し、該足場領域から遠い領域を、ゴルフコースのラフを想定したラフ用マットで構成し、
該フェアウエイ用マットに前記空気吸入孔を形成したものであるゴルフ練習機。
【請求項１６】
ゴルフボールのショット練習を行うためのゴルフ練習機であって、
該ゴルフボールを置くボール配置領域と、利用者がショット練習時に立つ足場領域とを有するショット練習台と、
該ショット練習台を水平面に対して傾斜自在に支持する練習台支持機構とを備え、
該練習台支持機構は、
設置床面に固定される固定基板上に取り付けられ、該ショット練習台を第１の点で傾斜可能に支持する固定支柱と、
該固定支柱の根元部分に傾斜自在に取り付けられ、該ショット練習台を第２の点で支持する伸縮自在な第１の可動支柱と、
該固定支柱の根元部分に傾斜自在に取り付けられ、該ショット練習台を第３の点で支持する伸縮自在な第２の可動支柱とを有し、
該ショット練習台を３点で支持するものであるゴルフ練習機。
【請求項１７】
請求項１６に記載のゴルフ練習機において、
前記第１の可動支柱は、
筒状部材と、該筒状部材にその一端側開口から突出するよう、該筒状部材内でスライド自在に挿入されたロッド部材とを有し、該筒状部材の他端を、該筒状部材が前記固定支柱の中心軸を含む第１の平面内で傾斜自在となるよう、該固定支柱に接続し、該ロッド部材の先端を、該ロッド部材が該第１の平面内で傾斜自在となるよう前記ショット練習台に接続したものであり、
前記第２の可動支柱は、
筒状部材と、該筒状部材にその一端側開口から突出するよう、該筒状部材内でスライド自在に挿入されたロッド部材とを有し、該筒状部材の他端を、該筒状部材が該固定支柱の中心軸を含む、前記第１の平面と直交する第２の平面内で傾斜自在となるよう、該固定支柱に接続し、該ロッド部材の先端を、該ロッド部材が該第２の平面内で傾斜自在となるよう該ショット練習台に接続したものであるゴルフ練習機。
【請求項１８】
請求項１７に記載のゴルフ練習機において、
前記第１および第２の可動支柱にはそれぞれ、前記ロッド部材をこれが前記筒状部材から出没するよう駆動するモータが取り付けられているゴルフ練習機。
【発明の詳細な説明】
【技術分野】
【０００１】
本発明は、ゴルフボール保持機構およびゴルフ練習機に関し、特に、傾斜面でのショット練習を行うためのゴルフボール保持機構およびゴルフ練習機に関するものである。
【背景技術】
【０００２】
従来からゴルフは愛好家の間で盛んに行われており、一般のゴルフ練習場では、利用者は、ゴルフボールを実際に打つことで、実際のゴルフコースでのプレーを想定したゴルフのショット練習を行うことができる。
【０００３】
一般のゴルフ練習場には、利用者がゴルフボールを実際に打つための打席が複数用意されており、利用者は打席に入ってゴルフボールの打ち込みを行うことができる。
【０００４】
このようなゴルフ練習場では、ゴルフボールの打ち込みを行う打席領域は、通常、平坦な床面上にゴムマットを敷き、該ゴムマットのボールを置く領域に人工芝マットを配置したものとなっている。
【０００５】
ゴルフ練習場では利用者は、打席領域に入り、ボールを人工芝マット上に置き、ゴルフクラブでボールを実際に打つことでゴルフの練習を行う。このとき、ゴルフクラブの選択やゴルフボールをティーアップするか否かなどにより、利用者は、ゴルフコースでのプレーを想定した練習を行うことができる。
【０００６】
ところが、実際のゴルフコースは、地形の起伏を利用したものとなっているために、ショットしたゴルフボールが止った場所は平坦であるとは限らない。つまり、このような場所では、プレーヤは、次のショットを、爪先下がり、爪先上がり、左足下がり、左足上がりといった傾斜面で行わざるを得ない場合もある。
【０００７】
例えば、爪先下がりの場合はスライスボールが出やすく、爪先上がりの場合はフックボールが出やすく、また左足下がりの場合はボールが上がりにくく、左足上がりの場合はボールが上がって距離が出にくいといった傾向がある。このため、プレーヤーは、ショットを行う場所がどのような傾斜となっているかによって、ボールに対する立ち位置やクラブの種類等を経験などから判断して対処している。
【０００８】
従って、ゴルフコースと同じように傾斜面でのショットの練習をゴルフ練習場でしたいという要望はほとんどゴルフ愛好家が持っているが、通常のゴルフ練習場では、上述したように打席領域が平坦なコンクリート床面にゴムマットを敷いたものとなっているために、平坦面以外でのショットの練習を行うことはできない。
【０００９】
このような要望に対しては、特許文献１および特許文献２には、爪先下がり、爪先上がり、左足下がり、左足上がり等の斜面ショットの練習を自由に行うことのできるゴルフ練習台が開示されている。
【００１０】
これらの文献に開示のゴルフ練習機は、床面に固定される固定部に取り付けられた支持支柱によりショット練習台を任意の方向に傾斜可能に支持し、該ショット練習台の傾斜角を、該ショット練習台と固定台との間に連結された伸縮可能な２つあるいは３つの角度調整用支柱により調整するようにしたものである。
【００１１】
このようなゴルフ練習機では、該伸縮可能な２つあるいは３つの角度調整支柱の長さを調節することにより、上記ショット練習台を、前後左右任意の角度に傾けることができ、これにより、利用者は、ゴルフコースと同じように傾斜面でのショットの練習を行うことができる。
【特許文献１】特開２００３−１５４０４４号公報
【特許文献２】特開平１１−１６４９２１号公報
【発明の開示】
【発明が解決しようとする課題】
【００１２】
しかしながら、実際のゴルフコースでは、ラフやバンカーなどでは急な傾斜面にゴルフボールが止まることがあるが、上記特許文献１および２に開示のゴルフ練習機では、実際のゴルフコースでのプレーを想定して該ショット練習台を傾斜させたときは、ゴルフボールを転がることとなり、ゴルフコースの斜面でのショットを想定した練習を行うことが困難であるという問題点があった。
【００１３】
本発明は、上記従来のような従来の問題を解決するためになされたもので、傾斜したゴルフ練習台上にゴルフボールを転がらないように配置することができるゴルフボール保持機構およびゴルフ練習機を提供することを目的とする。
【００１４】
また、本発明は、ショット練習台を傾斜自在に支持する支持機構をコンパクトな構造とすることができるゴルフ練習機を提供することを目的とする。
【課題を解決するための手段】
【００１５】
本発明に係るゴルフボール保持機構は、傾斜したショット練習台を有するゴルフ練習機に含まれ、該傾斜したゴルフ練習台上でゴルフボールを保持するゴルフボール保持機構であって、該傾斜したショット練習台の表面に、空気の吸い込みが行われるよう形成された空気吸入孔と、該空気吸入孔上に配置されたゴルフボールが、該空気吸入孔に吸入される空気流により吸着されるよう、該空気吸入孔を通しての空気の吸引を行う空気吸引装置とを有するものであり、そのことにより上記目的が達成される。
【００１６】
本発明に係るゴルフ練習機は、ゴルフボールのショット練習を行うためのゴルフ練習機であって、該ゴルフボールを置くボール配置領域と、利用者がショット練習時に立つ足場領域とを有し、水平面に対して傾斜したショット練習台と、該ボール配置領域に配置したゴルフボールが動かないよう、該ゴルフボールを空気流により吸着するボール吸着機構とを備えたものであり、そのことにより上記目的が達成される。
【００１７】
本発明は、上記ゴルフ練習機において、前記ボール吸着機構は、前記ショット練習台のボール配置領域に、空気の吸い込みが行われるよう形成された空気吸入孔と、空気を吸引する空気吸引装置と、該空気吸引装置の空気吸引口と該空気吸入孔との間に接続されたチューブ部材とを有することが好ましい。
【００１８】
本発明に係るゴルフ練習機は、ゴルフボールのショット練習を行うためのゴルフ練習機であって、該ゴルフボールを置くボール配置領域と、利用者がショット練習時に立つ足場領域とを有するショット練習台と、該ショット練習台を水平面に対して傾斜自在に支持する練習台支持機構と、該ショット練習台を傾斜させたときに、該ゴルフボールが該ボール配置領域の所定位置から動かないよう、該ゴルフボールを空気流により吸着するボール吸着機構とを備えたものであり、そのことにより上記目的が達成される。
【００１９】
本発明は、上記ゴルフ練習機において、前記ボール吸着機構は、前記ショット練習台のボール配置領域に、空気の吸い込みが行われるよう形成された空気吸入孔と、該空気吸入孔上に配置されたゴルフボールが、該空気吸入孔に吸入される空気流により吸着されるよう、該空気吸入孔を通しての空気の吸引を行う空気吸引装置とを有することが好ましい。
【００２０】
本発明は、上記ゴルフ練習機において、前記練習台支持機構は、設置床面に固定される固定基板と、該固定基板上に固定され、前記ショット練習台を第１の点で傾斜自在に支持する固定支柱と、該固定基板に対して傾斜自在に取り付けられ、該ショット練習台を第２の点で支持する伸縮自在な第１の可動支柱と、該固定基板に対して傾斜自在に取り付けられ、該ショット練習台を第３の点で支持する伸縮自在な第２の可動支柱とを有し、該ショット練習台を３点で支持するものであることが好ましい。
【００２１】
本発明は、上記ゴルフ練習機において、前記練習台支持機構は、設置床面に固定される固定基板と、該固定基板上に固定され、前記ショット練習台を第１の点で傾斜自在に支持する固定支柱と、該固定基板に対して傾斜自在に取り付けられ、該ショット練習台を第２の点で支持する伸縮自在な第１の可動支柱と、該固定基板に対して傾斜自在に取り付けられ、該ショット練習台を第３の点で支持する伸縮自在な第２の可動支柱と、該固定基板に対して傾斜自在に取り付けられ、該ショット練習台を第４の点で支持する伸縮自在な第３の可動支柱とを有し、該ショット練習台を４点で支持するものであることが好ましい。
【００２２】
本発明は、上記ゴルフ練習機において、該第３の可動支柱を可動状態と可動不可能な状態とで切り替えるブレーキ機構とを備え、前記ショット練習台の角度調整中は該ブレーキ機構を緩め、前記ショット練習台の角度調整中は該ブレーキ機構を締めることが好ましい。
【００２３】
本発明は、上記ゴルフ練習機において、該練習台支持機構は、前記第１および第２の可動支柱の一端をそれぞれ、前記固定支柱の根元部分に回動可能に取り付けたものであることが好ましい。
【００２４】
本発明は、上記ゴルフ練習機において、前記第１の可動支柱は、筒状部材と、該筒状部材にその一端側開口から突出するよう、該筒状部材内でスライド自在に挿入されたロッド部材とを有し、該筒状部材の他端を、該筒状部材が前記固定支柱の中心軸を含む第１の平面内で傾斜自在となるよう、該固定部材に対して接続し、該ロッド部材の先端を、該ロッド部材が該第１の平面内で傾斜自在となるよう前記ショット練習台に接続したものであり、前記第２の可動支柱は、筒状部材と、該筒状部材にその一端側開口から突出するよう、該筒状部材内でスライド自在に挿入されたロッド部材とを有し、該筒状部材の他端を、該筒状部材が該固定支柱の中心軸を含む、該第１の平面と直交する第２の平面内で傾斜自在となるよう、該固定部材に対して接続し、該ロッド部材の先端を、該ロッド部材が該第２の平面内で傾斜自在となるよう該ショット練習台に接続したものであることが好ましい。
【００２５】
本発明は、上記ゴルフ練習機において、前記第１および第２の可動支柱にはそれぞれ、前記ロッド部材をこれが前記筒状部材から出没するよう駆動するモータが取り付けられていることが好ましい。
【００２６】
本発明は、上記ゴルフ練習機において、前記ショット練習台は、金属製基板と、該金属製基板上に取り付けられたゴム製シート部材とを有し、該ショット練習台の、前記ボール配置領域および前記足場領域を含む打席領域は、該ボール配置領域およびその周辺領域を該打席領域の他の部分より一段低くしたものであることが好ましい。
【００２７】
本発明は、上記ゴルフ練習機において、前記ショット練習台の打席領域は、前記ボール配置領域の、前記ゴルフボールのショット方向とは反対側に位置し、該ゴルフボールを収容するボール収容領域を有し、該ボール収容領域は、該ボール配置領域およびその周辺領域より一段低くなっていることが好ましい。
【００２８】
本発明は、上記ゴルフ練習機において、前記ボール収容領域の表面には平面格子形状の隆起部が形成されていることが好ましい。
【００２９】
本発明は、上記ゴルフ練習機において、前記ボール配置領域には人工芝マットが配置されており、該人工芝マットは、前記足場領域に近い領域を、ゴルフコースのファエウエイを想定したフェアウエイ用マットで構成し、該足場領域から遠い領域を、ゴルフコースのラフを想定したラフ用マットで構成し、該フェアウエイ用マットに前記空気吸入孔を形成したものであることが好ましい。
【００３０】
本発明に係るゴルフ練習機は、ゴルフボールのショット練習を行うためのゴルフ練習機であって、該ゴルフボールを置くボール配置領域と、利用者がショット練習時に立つ足場領域とを有するショット練習台と、該ショット練習台を水平面に対して傾斜自在に支持する練習台支持機構とを備え、該練習台支持機構は、設置床面に固定される固定基板上に取り付けられ、該ショット練習台を第１の点で傾斜可能に支持する固定支柱と、該固定支柱の根元部分に傾斜自在に取り付けられ、該ショット練習台を第２の点で支持する伸縮自在な第１の可動支柱と、該固定支柱の根元部分に傾斜自在に取り付けられ、該ショット練習台を第３の点で支持する伸縮自在な第２の可動支柱とを有し、該ショット練習台を３点で支持するものであり、そのことにより上記目的が達成される。
【００３１】
本発明は、上記ゴルフ練習機において、前記第１の可動支柱は、筒状部材と、該筒状部材にその一端側開口から突出するよう、該筒状部材内でスライド自在に挿入されたロッド部材とを有し、該筒状部材の他端を、該筒状部材が前記固定支柱の中心軸を含む第１の平面内で傾斜自在となるよう、該固定支柱に接続し、該ロッド部材の先端を、該ロッド部材が該第１の平面内で傾斜自在となるよう前記ショット練習台に接続したものであり、前記第２の可動支柱は、筒状部材と、該筒状部材にその一端側開口から突出するよう、該筒状部材内でスライド自在に挿入されたロッド部材とを有し、該筒状部材の他端を、該筒状部材が該固定支柱の中心軸を含む、前記第１の平面と直交する第２の平面内で傾斜自在となるよう、該固定支柱に接続し、該ロッド部材の先端を、該ロッド部材が該第２の平面内で傾斜自在となるよう該ショット練習台に接続したものであることが好ましい。
【００３２】
本発明は、上記ゴルフ練習機において、前記第１および第２の可動支柱にはそれぞれ、前記ロッド部材をこれが前記筒状部材から出没するよう駆動するモータが取り付けられていることが好ましい。
【００３３】
以下、本発明の作用について説明する。
【００３４】
本発明においては、傾斜したゴルフ練習台上でゴルフボールを保持するゴルフボール保持機構において、ショット練習台の表面に、空気の吸い込みが行われるよう空気吸入孔を形成し、該空気吸入孔上に配置されたゴルフボールが、該空気吸入孔に吸入される空気流により吸着されるよう空気の吸引を行うようにしたので、傾斜したゴルフ練習台上でゴルフボールを確実に保持することができ、これにより、実際のゴルフコースの起伏を想定した斜面でのショットを練習することができる。
【００３５】
本発明においては、水平面に対して傾斜したショット練習台を有するゴルフ練習機において、該傾斜したショット練習台に配置したゴルフボールが動かないよう、該ゴルフボールを空気流により吸着するボール吸着機構を備えたので、傾斜したショット練習台上でゴルフボールを確実に止めることができる。これにより、実際のゴルフコースの傾斜面でゴルフボールがとまった状態をゴルフ練習台上で作り出すことができ、傾斜面でのショット練習を行うことができる。
【００３６】
本発明においては、ゴルフ練習機において、ショット練習台と、該ショット練習台を水平面に対して傾斜自在に支持する練習台支持機構とを備え、該ショット練習台を傾斜させたときに、該ゴルフボールがショット練習台のボール配置領域から動かないよう、該ゴルフボールを空気流により吸着するようにしたので、実際のゴルフコースの起伏を想定してショット練習台を自由に傾斜させることができ、しかも、傾斜させたショット練習台上でゴルフボールを確実に止めることができる。これにより、実際のゴルフコースでの様々な傾斜面を想定した斜面ショットの練習を行うことができる。
【００３７】
本発明においては、上記ゴルフ練習機において、固定基板上に固定された固定支柱により上記ショット練習台を第１の点で傾斜可能に支持し、該固定基板に対して傾斜自在に取り付けられた伸縮自在な第１および第２の可動支柱により、上記ショット練習台を第２および第３の点で支持するようにしたので、第１および第２の可動支柱を伸縮させることにより、上記ショット練習台をいずれの方向にもいずれの角度にも傾斜させることができる。
【００３８】
本発明においては、第１および第２の可動支柱に加えて、第３の可動支柱である補助可動支柱と、該補助可動支柱を可動状態と可動不可能な状態とで切り替えるブレーキ機構とを備え、上記ショット練習台が停止している状態では、ブレーキ機構により該補助可動支柱を止めて該ショット練習台を支持し、該ショット練習台の角度調整中は、該ブレーキ機構を緩めて該補助可動支柱を可動状態にするので、ゴルフ練習中にはショット練習台をより安定に、しかも角度調整可能に支持することできる。これにより、ショット練習台上でのショット練習中にショット練習台のがたつきを抑制することができる。
【００３９】
本発明においては、上記ゴルフ練習機において、前記第１および第２の可動支柱の一端をそれぞれ、前記固定支柱の根元部分に回動可能に取り付けたので、上記固定支柱、第１および第２の可動支柱の一端側を一箇所に集めることができ、上記ショット練習台を３点で支持する支持機構をコンパクトな構造とすることができる。
【００４０】
本発明においては、上記ゴルフ練習機において、上記第１の可動支柱を、上記固定支柱の中心軸を含む第１の平面内で傾斜可能とし、上記第２の可動支持を、上記固定支柱の中心軸を含む、該第１の平面と直交する第２の平面内で傾斜可能としたので、ショット練習台の前後の傾斜あるいは左右の傾斜を、上記第１および第２の可動支柱のいずれかの伸縮により独立して作り出すことができる。
【００４１】
本発明においては、上記ゴルフ練習機において、前記第１および第２の可動支柱にはそれぞれ、前記ロッド部材をこれが該筒状部材から出没するよう駆動するモータが取り付けられているので、モータの回転量などを制御装置により制御することにより、簡単な操作で、ショット練習台を、所望の方向に所望の傾斜角になるよう自動的に傾斜させることができる。
【００４２】
本発明においては、上記ゴルフ練習機において、前記ショット練習台の、ボール配置領域および利用者の足場領域を含む打席領域は、該ボール配置領域およびその周辺領域を該打席領域の他の部分より一段低くしたものとなっているので、ゴルフボールがボール配置領域およびその周辺領域から転がって外に出てしまうのを回避することができる。
【００４３】
本発明においては、上記ゴルフ練習機において、前記ショット練習台の打席領域には、前記ボール配置領域および前記足場領域に加えて、該ゴルフボールを収容するボール収容領域を有し、該ボール収容領域を、該ボール配置領域およびその周辺領域より一段低くしているので、ショット練習に用いるゴルフボールを、該打席領域の一部に、ボール配置領域や足場領域に転がってこないようにして確保しておくことができる。
【００４４】
本発明においては、上記ゴルフ練習機において、前記ボール収容領域の表面には平面格子形状の隆起部が形成されているので、上記ボール収容領域のゴルフボールが少なくなってきても、該ボール収容領域内でゴルフボールが転がることはなく、該ゴルフボールが弾みで該ボール収容領域から飛び出るのを防止できる。
【００４５】
本発明においては、上記ゴルフ練習機において、前記ボール配置領域には人工芝マットを配置し、該人工芝マットを、前記利用者の足場領域に近い領域を、ゴルフコースのファエウエイを想定したフェアウエイ用マットで構成し、該足場領域から遠い領域を、ゴルフコースのラフを想定したラフ用マットで構成し、該フェアウエイ用マットに前記空気吸入孔を形成したので、実際のゴルフコースでの傾斜したラフ領域やフェアウエイ領域にゴルフボールがとまった状況をショット練習台上で実現でき、ラフやフェアウエイを想定した傾斜ショットの練習をすることもできる。
【００４６】
本発明においては、ゴルフボールのショット練習を行うためのゴルフ練習機において、ショット練習台を第１の点で傾斜可能に支持する固定支柱を固定基板上に取り付け、該固定支柱の根元部に傾斜自在に取り付けられた第１および第２の可動支柱により、上記ショット練習台を第２および第３の点で支持するようにしたので、第１および第２の可動支柱を伸縮させることにより、上記ショット練習台をいずれの方向にもいずれの角度にも傾斜させることができ、さらに、上記固定支柱、第１および第２の可動支柱の一端側を一箇所に集めることができ、これにより上記ショット練習台を３点で支持する支持機構をコンパクトな構造とすることができる。
【００４７】
本発明においては、上記ゴルフ練習機において、上記第１の可動支柱を、上記固定支柱の中心軸を含む第１の平面内で傾斜可能とし、上記第２の可動支持を、上記固定支柱の中心軸を含む、該第１の平面と直交する第２の平面内で傾斜可能としたので、ショット練習台の前後の傾斜あるいは左右の傾斜を、上記第１および第２の可動支柱のいずれかの伸縮により独立して作り出すことができる。
【００４８】
本発明においては、上記ゴルフ練習機において、前記第１および第２の可動支柱にはそれぞれ、前記ロッド部材をこれが該筒状部材から出没するよう駆動するモータが取り付けられているので、モータの回転量をなどで制御装置により制御することにより、簡単な操作で、ショット練習台を、所望の方向に所望の傾斜角になるよう自動的に傾斜させることができる。
【発明の効果】
【００４９】
以上のように、本発明によれば、傾斜したショット練習台を有するゴルフ練習機に含まれ、該傾斜したゴルフ練習台上でゴルフボールを保持するゴルフボール保持機構において、該傾斜したショット練習台の表面に、空気の吸い込みが行われるよう形成された空気吸入孔と、該空気吸入孔上に配置されたゴルフボールが、該空気吸入孔に吸入される空気流により吸着されるよう、該空気吸入孔を通しての空気の吸引を行う空気吸引装置とを備えたので、傾斜したゴルフ練習台上でゴルフボールを確実に保持することができ、これにより、実際のゴルフコースの起伏を想定した斜面でのショットを練習することができる効果が得られる。
【００５０】
また、本発明によれば、ゴルフボールのショット練習を行うためのゴルフ練習機において、該ゴルフボールを置くボール配置領域と、利用者がショット練習時に立つ足場領域とを有し、水平面に対して傾斜したショット練習台と、該ボール配置領域に配置したゴルフボールが動かないよう、該ゴルフボールを空気流により吸着するボール吸着機構とを備えたので、傾斜したショット練習台上でゴルフボールを確実に止めることができ、これにより、実際のゴルフコースの傾斜面でゴルフボールがとまった状態をゴルフ練習台上で作り出すことができ、傾斜面でのショット練習を行うことができるという効果が得られる。
【００５１】
また、本発明によれば、ゴルフボールのショット練習を行うためのゴルフ練習機において、該ゴルフボールを置くボール配置領域と、利用者がショット練習時に立つ足場領域とを有するショット練習台と、該ショット練習台を水平面に対して傾斜自在に支持する練習台支持機構と、該ショット練習台を傾斜させたときに、該ゴルフボールが該ボール配置領域の所定位置から動かないよう、該ゴルフボールを空気流により吸着するボール吸着機構とを備えたので、実際のゴルフコースの起伏を想定してショット練習台を自由に傾斜させることができ、しかも、傾斜させたショット練習台上でゴルフボールを確実に止めることができ、これにより、実際のゴルフコースでの様々な傾斜面を想定した斜面ショットの練習を行うことができる効果が得られる。
【００５２】
また、本発明によれば、ゴルフボールのショット練習を行うためのゴルフ練習機であって、該ゴルフボールを置くボール配置領域と、利用者がショット練習時に立つ足場領域とを有するショット練習台と、該ショット練習台を水平面に対して傾斜自在に支持する練習台支持機構とを備え、該練習台支持機構は、設置床面に固定される固定基板上に取り付けられ、該ショット練習台を第１の点で傾斜可能に支持する固定支柱と、該固定支柱の根元部分に傾斜自在に取り付けられ、該ショット練習台を第２の点で支持する伸縮自在な第１の可動支柱と、該固定支柱の根元部分に傾斜自在に取り付けられ、該ショット練習台を第３の点で支持する伸縮自在な第２の可動支柱とを有し、該ショット練習台を３点で支持するものとしたので、第１および第２の可動支柱を伸縮させることにより、上記ショット練習台をいずれの方向にもいずれの角度にも傾斜させることができ、さらに、上記固定支柱、第１および第２の可動支柱の一端側を一箇所に集めることができ、これにより上記ショット練習台を３点で支持する支持機構をコンパクトな構造とすることができる効果がある。
【発明を実施するための最良の形態】
【００５３】
以下、本発明の実施形態について図面を参照しながら説明する。
【００５４】
（実施形態１）
図１は本発明の実施形態１によるゴルフ練習機を示す斜視図であり、図２（ａ）は該ゴルフ練習機の側面図、図２（ｂ）は図１のＩＩ−ＩＩ線部分の断面図である。
【００５５】
この実施形態１のゴルフ練習機１は、ゴルフ練習機本体１０と、このゴルフ練習機本体１０を利用者が操作するための操作ボックス２００とを有している。
【００５６】
上記ゴルフ練習本体１０は、ゴルフ練習場の床面１１にアンカーボルトなどで固定される固定基板１０１と、ゴルフボールのショット練習を行うためのショット練習台２０と、該ショット練習台２０を該固定基板１０１に対して傾斜自在に支持する練習台支持機構１００とを有している。以下、本実施形態のゴルフ練習機１を構成する各部の構成について詳述する。
【００５７】
まず、上記ショット練習台２０について説明する。
【００５８】
このショット練習台２０は、ステンレス製のベース板２１と、該ベース板２１上に貼り付けられたゴム製シート部材２２とを有している。該ショット練習台２０には、打席領域２３が設けられている。
【００５９】
また、この打席領域２３の前方側中央部の、ゴルフボールを置くボール配置領域には、人工芝マット２５が配置されている。また、上記打席領域２３の後方側中央部は、利用者の足場となる領域（足場領域）Ｒｐとなっている。また、上記ショット練習台１０の後方側には手摺１３が取り付けられている。ここで、該打席領域２３は、そのボール配置領域およびその周辺領域を、これらの領域から該ゴルフボールが外にでないように、該打席領域のその他の領域に比べて２〜３ｃｍ程度低くした領域となっている。従って、打席領域２３の足場領域Ｒｐの表面は、人工芝マット２５の表面とほぼ同じ高さとなっている。
【００６０】
そして、上記人工芝マット２５には、フェアウエアを想定したフェアウエイ領域２５ａと、ラフを想定したラフ領域２５ｂとが設けられており、該フェアウエア領域２５ａには、ゴルフボールを空気流により吸引保持する空気吸引孔２５ｃが形成されている。なお、具体的には、人工芝マット２５のフェアウエイ領域２５ａおよびラフ領域２５ｂはそれぞれ、フェアウエイ用人工芝マットおよびラフ用人工芝マットからなる。
【００６１】
図２（ｂ）は、上記ショット練習台２０の、上記空気吸引孔２５ｄが形成された部分の断面構造を示しており、図２(ｂ）に示すように、上記ゴム製シート部材２２およびステンレス製ベース板２１の、該人工芝マット２５の空気吸引孔２５ｃに対応する位置には、それぞれ、上記吸引空気の通路となる孔２２ａおよび２１ａが形成されている。また、人工芝マット２５の空気吸引孔２５ｃが形成された部分には、ゴルフボールが吸着されやすくなるようにリング状ゴム部材２６が取り付けられている。そして、上記ステンレス製ベース板２１の裏面側には、該孔２１ａにつながるよう、空気吸引チューブ１４１の一端１４１ａが接続されており、該空気吸引チューブの他端側には、上記吸引空気流Ａを発生する吸引ブロアー１４０の吸引口１４０ａが接続されている。なお、１４０ｂは、該吸引ブロアー１４０の空気排出口である。
【００６２】
また、上記打席領域２３の、上記人工芝マット２５のボール打出し方向と反対側の部分には、ゴルフボールを収容するボール収容部２４が形成されており、該ボール収容部２４は、該打席領域２３のボール配置領域およびその周辺領域より２〜３ｃｍ程度低い領域となっており、その内部の底面部分には、収容されているゴルフボールが転がらないよう、平面格子状の隆起部２４ａが形成されている。
【００６３】
次に上記練習台支持機構１００について説明する。
【００６４】
図３は、該練習台支持機構１００を拡大して示す斜視図である。
【００６５】
この練習台支持機構１００は、ゴルフ練習機の設置床面に取り付けられる固定基板１０１と、該固定基板１０１に取り付けられ、上記ショット練習台２０を１点で傾斜自在に支持する固定支柱１１０と、該固定基板１０１と上記固定支柱１１０との取り付け部分に固定され、該ショット練習台２０を２点で支持し、その傾斜角および傾斜方向を調整する傾斜角整用機構１００ｂとを有している。ここで、上記固定基板１０１には、上記固定支柱１１０を補強する補強リブ１０２が取り付けられており、上記固定基板１０１、固定支柱１１０、および補強リブ１０２により、上記練習台支持機構１００の基部となる支持ブロック１００ａが構成されている。
【００６６】
具体的には、上記固定支柱１１０および固定基板１０１は、ステンレスなどの金属部材により構成されている。該固定支柱１１０は四角柱形状をしており、該固定支柱１１０の各側面下部には、対向する一対の補強リブ１０２がそれぞれ取り付けられている。ここで、この補強リブ１０２はステンレスなどの金属材により構成されており、固定支柱１１０および固定基板１０１に溶接などにより接合されている。また、上記固定支柱１１０の隣接する２つの側面の補強リブ１０２の上端には、部品取付用ブラケット１１２および１１３が、該側面の対向する一対の補強リブ１０２に跨って回動可能に取り付けられている。
【００６７】
ここで、上記固定支柱１１０は、図４（ａ）に示すように、その上端部に取り付けられた球体軸部１１１ｂを有し、該球体軸部１１１ｂは、上記ショット練習台２０の裏面に取り付けられた球体軸受部１１１ａと回動可能に嵌合している。
【００６８】
また、上記傾斜角調整機構１００ｂは、上記支柱ブロック１００ａと上記ショット練習台２０との間に接続された伸縮可能な第１の可動支柱１２０を含み、該第１の可動支柱１２０は、上記部品取り付けブラケット１１２に取付けられた固定筒状部材１２１と、該固定筒状部材１２１内に回転可能に保持された可動筒状部材１２２と、該可動筒状部材１２３内に突出あるいは没入可能に挿入されたロッド部材１２３とを有している。該ロッド部１２３の先端は、該ショット練習台２０に対して傾斜自在となるよう取り付けられている。また上記部品取り付けブラケット１１２は、該ブラケット１１２に取り付けられた第１の可動支柱が、上記固定支柱１１０の中心軸を含む第１の平面内で傾斜自在になるよう、取り付け部品１１２ａと取り付けピン１１２ｂとにより上記補強リブ１０２に接続されている。
【００６９】
また、上記可動支柱１２０のロッド部材１２３は、その外周表面にネジ山を形成したものであり、該可動支柱１２０の内側筒状部材１２２は、その内周面にネジ山を形成したものであり、上記可動筒状部材１２２とこれに挿入されているロッド部材１２３とは螺合している。また、上記部品取り付けブラケット１１２には、取り付け部品１２０ｂによりモータ１２４が取り付けられており、該固定筒状部材１２１の下部には、該モータ１２４の回転軸１２４ａが回転可能に連結されており、該回転軸１２４ａの回転により上記可動筒状部材１２２が回転するようになっている。
【００７０】
つまり、該可動支柱１２０は、上記固定筒状部材１２１に回転可能に保持されている可動筒状部材１２２を回転させることにより、上記ロッド部材１２３が該可動筒状部材１２２から突出あるいは没入することとなり、該第１の可動支柱１２０が伸縮することとなる。
【００７１】
また、上記ロッド部材１２３の先端には、ロッド支持部材１２３ａが装着されており、該ロッド支持部材１２３ａは、取り付けピン１２３ｃとピン支持部材１２３ｂとにより、ショット練習台のベース板２１の裏面に固定された部品取付部材１２５に取り付けられている。つまり、該ロッド部材１２３は、上記第１の平面内で傾斜自在となるよう上記ショット練習台２０に取り付けられている。
【００７２】
また、上記傾斜角調整機構１００ｂは、上記支柱ブロック１００ａと上記ショット練習台２０との間に接続された伸縮可能な第２の可動支柱１３０を含み、該第２の可動支柱１３０も上記第１の可動支柱１２０と同じ構造となっている。
【００７３】
つまり、該第２の可動支柱１３０は、上記部品取り付けブラケット１１３に取付けられた固定筒状部材１３１と、該固定筒状部材１３１内に回転可能に保持された可動筒状部材１３２と、該可動筒状部材１３３内に突出あるいは没入可能に挿入されたロッド部材１３３とを有している。該ロッド部１３３の先端は、該ショット練習台２０に対して傾斜自在となるよう取り付けられている。また上記部品取り付けブラケット１１３は、該ブラケット１１３に取り付けられた第２の可動支柱が、上記固定支柱１１０の中心軸を含む、上記第１の平面と直交する第２の平面内で傾斜自在になるよう、取り付け部品（図示せず）と取り付けピン（図示せず）とにより上記補強リブ１０２に接続されている。
【００７４】
また、上記第２の可動支柱１３０のロッド部材１３３は、その外周表面にネジ山を形成したものであり、該可動支柱１３０の内側筒状部材１３２は、その内周面にネジ山を形成したものであり、上記可動筒状部材１３２とこれに挿入されているロッド部材１３３とは螺合している。また、上記部品取り付けブラケット１１３には、取り付け部品１３０ｂによりモータ１３４が取り付けられており、該固定筒状部材１３１の下部には、該モータ１３４の回転軸１３４ａが回転可能に連結されており、該回転軸１３４ａの回転により上記可動筒状部材１３２が回転するようになっている。
【００７５】
つまり、該可動支柱１３０は、上記固定筒状部材１３１に回転可能に保持されている可動筒状部材１３２を回転させることにより、上記ロッド部材１２３が該可動筒状部材１３２から突出あるいは没入することとなり、該第２の可動支柱１３０が伸縮することとなる。
【００７６】
また、上記ロッド部材１３３の先端には、ロッド支持部材１３３ａが装着されており、該ロッド支持部材１３３ａは、上記第１の可動支柱１２０のものと同様、取り付けピン（図示せず）とピン支持部材（図示せず）とにより、ショット練習台のベース板２１の裏面に固定された部品取付部材１３５に取り付けられている。つまり、該ロッド部材１３３は、上記第２の平面内で傾斜自在となるよう上記ショット練習台２０に取り付けられている。
【００７７】
次に、上記ゴルフ練習機１の操作ボックス２００について説明する。
【００７８】
図５は、上記操作ボックスの外観を示す斜視図である。
【００７９】
この操作ボックス２００は、ショット練習台２０の背後に配置されており、支持部材２０２により、ゴルフ練習機本体１０の設置床面から所定の高さ位置に支持されている。なお、該支持部材２０２は、上記設置床面にアンカーボルトなどにより固定される固定板２０３に取り付けられている。
【００８０】
この操作ボックス２００の前面には、ゴルフ練習機１を操作するための操作パネル２１０と、該ゴルフ練習機１の使用料金の投入部２２０とが取り付けられている。
【００８１】
また、上記操作パネル２１０には、残り時間を表示する使用時間表示画面２２３が設けられ、さらに、ショット練習台２０の傾斜角を調整する４つの操作ボタン２１１ａ、２１１ｂ、２１２ａ、および２１２ｂが取り付けられている。
【００８２】
ここで、上記操作ボタン２１１ａおよび２１１ｂは、ショット練習台２０の前後の傾斜を調整するもので、操作ボタン２１１ａの押圧操作によりショット練習台２０が前上がりとなり、該操作ボタン２１１ｂの押圧操作によりショット練習台２０が後上がりとなるようになっている。さらに、上記操作ボタン２１２ａおよび２１２ｂは、ショット練習台２０の左右の傾斜を調整するもので、該操作ボタン２１２ａの押圧操作によりショット練習台２０が左上がりとなり、操作ボタン２１２ｂの押圧操作によりショット練習台２０が右上がりとなるようになっている。
【００８３】
また、上記操作ボタン２１１ａおよび２１１ｂは対向するよう縦方向に沿って配置され、該操作パネル２１０には、この操作ボタンの配列に沿って、上記ショット練習台２０の傾斜角を表示する前後傾斜角表示部２１０ａが設けられている。この前後傾斜角表示部２１０ａには、水平（０度）を示す位置、前上がり傾斜角として５度、１０度、１５度を示す位置、さらに後上がり傾斜角として５度、１０度、１５度を示す位置に、それぞれ発光ダイオードなどの表示ランプが取り付けられており、その発光により、ショット練習台２０の傾斜角を示すようになっている。
【００８４】
上記操作ボタン２１２ａおよび２１２ｂは、対向するよう横方向に沿って配置され、該操作パネル２１０には、この操作ボタンの配列に沿って、上記ショット練習台２０の傾斜角を表示する左右傾斜角表示部２１０ｂが設けられている。この前後傾斜角表示部２１０ｂには、水平（０度）を示す位置、左上がり傾斜角としての５度、１０度、１５度を示す位置、かつ、右上がり傾斜角としての５度、１０度、１５度を示す位置に、それぞれ発光ダイオードなどの表示ランプが取り付けられており、その発光により、現在の傾斜角を示すようになっている。
【００８５】
また、上記使用料金の投入部２２０は、硬貨投入口２２１、硬貨返却レバー２２２、および硬貨返却口２２３を有しており、該硬貨投入口２２１に硬貨を投入した後、一定時間が経過するまでに硬貨返却レバー２２２を操作したときは、投入硬貨が返却され、一定時間が経過した後は、このゴルフ練習機１が使用可能な状態となるようになっている。
【００８６】
図６は、該操作ボックス２００内に搭載された回路構成を示すブロック図である。
【００８７】
該操作ボックス２００は、第１および第２の電源２５０ａおよび２５０ｂと、コインセレクタ２５１と、操作パネルからの操作信号に基づいてゴルフ練習機の動作を制御する制御部２６０と、上記使用時間表示部２２３に時間を表示する時間表示部２６１とを内臓している。
【００８８】
ここで、上記第１の電源２５０ａは、一般家庭用のＡＣ１００電源から電力を受け、その電圧をＬＳＩなどの電子回路に適した電圧に変圧して制御部２６０および操作パネルの回路部２７０にその動作電源を供給するものである。また、上記第２の電源２５０ｂは、ＡＣ１００電源から電力を受け、その電圧を上記コインセレクタ２５１や上記モータ１２４および１３４の動作に適した電圧に変換するものである。
【００８９】
また、上記コインセレクタ２５１は、投入された硬貨の種類を選別して、投入された金額を算出し、算出された金額情報を上記制御部２６０に出力するものである。さらに、上記操作パネル部２７０は、上記操作ボタン１１２ａ、１１２ｂ、１２２ａ、１２２ｂに対応するスイッチ２７１ａ、２７１ｂ、２７２ａ、２７２ｂを有している。そして、ここでは、これらの操作スイッチは、対応する操作ボタンの押圧により接点がつながるものであり、１回押圧操作する度に、上記制御部２６０に５度だけ傾ける傾斜指令信号を出力する構成となっている。従って、操作ボタン１１２ａの２回押圧し、操作ボタン１２２ａを１回押圧すると、ショット練習台２０は前後方向には前上がり１０度の傾斜角となり、左右方向には左上がり５度の傾斜角となり、ショット練習台の傾斜面として、前方がやや急な上がり傾斜となり、さらに左が若干上がった傾斜面を設定することができる。
【００９０】
さらに、上記制御部２６０は、該操作パネル２７０からの操作信号に基づいて、前後傾斜調整用モータ１２４および左右傾斜調整用モータ１３４をそれぞれ駆動するＡＣモータドライバ１２４ａおよび１３４ａを制御し、さらに空気吸引装置１４０の起動および停止を制御するものである。なお、ここで、前後傾斜調整用モータ１２４、左右傾斜調整用モータ１３４、ＡＣモータドライバ１２４ａおよび１３４ａは、このゴルフ練習機１のショット練習台２０を傾斜させる駆動機構１５０を構成している。
【００９１】
なお、制御部２６０の設定スイッチ２６０は、投入金額に対する利用時間などを設定するものであり、またＣＰＵ２６０ｂは、操作パネルからのボタン操作信号に基づいて、ショット練習台が指定された傾斜角となるよう、モータ１２４や１３４の駆動信号を上記各モータドライバ１２４ａおよび１３４ａに出力するといった制御を行うものである。
【００９２】
次に動作について説明する。
【００９３】
本実施形態のゴルフ練習機でショット練習を行う場合、利用者は、例えば、多数の練習用ゴルフボールを打席領域２３のボール収容領域２４内に入れておき、操作ボックス２００の貨幣投入口２２１に貨幣を投入する。その後、数秒程度の時間が経過した後、該ゴルフ練習機１は、ショット練習台の角度調整可能な動作状態となる。この状態では、ＣＰＵ４１は、空気吸引装置１４０を始動して、打席領域のフェアウエイ用マットの空気吸入孔２５ｃから空気の吸入が行われている状態とする。
【００９４】
そして、利用者は、操作ボックスの操作ボタン２１１ａ、２１１ｂ、２１２ａ、２１２ｂにより、ショット練習台２０が希望の方向にかつ希望の角度で傾斜するよう、ゴルフ練習機１を操作する。この状態で、利用者が、ゴルフボールを、フェアウエイ用マットの空気吸入孔２５ｃ上に配置すると、該ゴルフゴールは、該空気吸入孔２５ｃに吸入される空気流によりこの部分に吸着保持される。
【００９５】
この様態では、傾斜したショット練習台のフェアウエイ用マットの空気吸入孔２５ｃ上にゴルフボールが保持された状態となっており、斜面でのショット練習を行うことができる。
【００９６】
また、ショット練習台の傾斜方向や傾斜角度を変更したいときは、さらに上記操作ボタンを操作することで、ショット練習台を傾斜角および傾斜方向を変えることができる。
【００９７】
このように本実施形態のゴルフ練習機１では、ショット練習台２０と、該ショット練習台２０を水平面に対して傾斜自在に支持する練習台支持機構１００とを備え、該ショット練習台２０を傾斜させたときに、該ゴルフボールがショット練習台のボール配置領域から動かないよう、該ゴルフボールを空気流により吸着するようにしたので、実際のゴルフコースの起伏を想定してショット練習台を自由に傾斜させることができ、しかも、傾斜させたショット練習台上でゴルフボールを確実に止めることができる。これにより、実際のゴルフコースでの様々な傾斜面を想定した斜面ショットの練習を行うことができる。
【００９８】
また、固定基板１０１上に固定された固定支柱１１０により上記ショット練習台２０を第１の点で傾斜可能に支持し、該固定基板１０１に対して傾斜自在に取り付けられた伸縮自在な第１および第２の可動支柱１２０および１３０により、上記ショット練習台２０を第２および第３の点で支持するようにしたので、第１および第２の可動支柱を伸縮させることにより、上記ショット練習台をいずれの方向にもいずれの角度にも傾斜させることができる。
【００９９】
さらに、上記第１および第２の可動支柱１２０および１３０の一端をそれぞれ、前記固定支柱１１０の根元部分に回動可能に取り付けているので、上記固定支柱１１０、第１および第２の可動支柱１２０および１３０の一端側を一箇所に集めることができ、上記ショット練習台２０を３点で支持する支持機構をコンパクトな構造とすることができる。
【０１００】
また、上記第１の可動支柱１２０を、上記固定支柱１１０の中心軸を含む第１の平面内で傾斜可能とし、上記第２の可動支持１３０を、上記固定支柱１１０の中心軸を含む、該第１の平面と直交する第２の平面内で傾斜可能としたので、ショット練習台の前後の傾斜あるいは左右の傾斜を、上記第１および第２の可動支柱１２０および１３０のいずれかの伸縮により独立して作り出すことができる。
【０１０１】
さらに、前記第１および第２の可動支柱１２０および１３０にはそれぞれ、前記ロッド部材をこれが該筒状部材から出没するよう駆動するモータが取り付けられているので、モータの回転量などを制御装置により制御することにより、簡単な操作で、ショット練習台を、所望の方向に所望の傾斜角になるよう自動的に傾斜させることができる。
【０１０２】
また、前記ショット練習台２０の、ボール配置領域および利用者の足場領域を含む打席領域２３は、該ボール配置領域およびその周辺領域を該打席領域の他の部分より一段低くしたものとなっているので、ゴルフボールが該ボール配置領域およびその周辺領域から転がって外に出てしまうのを回避することができる。
【０１０３】
また、前記ショット練習台２０の打席領域２３には、前記ボール配置領域および前記足場領域に加えて、該ゴルフボールを収容するボール収容領域２４を設け、該ボール収容領域を、該ボール配置領域およびその周辺領域より一段低くしているので、ショット練習に用いるゴルフボールを、該打席領域の一部に、ボール配置領域や足場領域に転がってこないようにして確保しておくことができる。
【０１０４】
また、前記ボール収容領域２４の表面には平面格子形状の隆起部２４ａが形成されているので、上記ボール収容領域のゴルフボールが少なくなってきても、該ボール収容領域内でゴルフボールが転がることはなく、該ゴルフボールが弾みで該ボール収容領域から飛び出るのを防止できる。
【０１０５】
また、前記ボール配置領域には人工芝マット２５を配置し、該人工芝マット２５の、前記利用者の足場領域Ｒｐに近い領域を、ゴルフコースのファエウエイを想定したフェアウエイ用マット２５ａで構成し、その該足場領域から遠い領域を、ゴルフコースのラフを想定したラフ用マット２５ｂで構成し、該フェアウエイ用マットに前記空気吸入孔を形成したので、実際のゴルフコースでの傾斜したラフ領域やフェアウエイ領域にゴルフボールがとまった状況をショット練習台上で実現でき、ラフやフェアウエイを想定した傾斜ショットの練習をすることもできる。
【０１０６】
（実施形態２）
図７は本発明の実施形態２によるゴルフ練習機の説明図であり、そのゴルフ練習機本体を裏面側から見た斜視図である。
【０１０７】
この実施形態２のゴルフ練習機は、上述した実施形態１のゴルフ練習機１における、ショット練習台２０を３点支持するゴルフ練習機本体１０に代えて、該ゴルフ練習台２０を４点支持するゴルフ練習機本体１０ａを備えたものである。
【０１０８】
すなわち、この実施形態２のゴルフ練習機本体１０ａは、上記実施形態１のゴルフ練習機本体１０における１つの固定支柱１１０と２つの可動支柱１２０，１３０に加えて、該両可動支柱間に位置する補助可動支柱１４３を備えたものであり、この補助可動支柱１４３は、該ショット練習台２０が停止している状態でのみこれを支持するものである。
【０１０９】
以下、詳述すると、この実施形態２のゴルフ練習機本体１０ａは、実施形態１のものと同様、ゴルフ練習機の設置床面に取り付けられ、上記ショット練習台２０を１点で傾斜自在に支持する支持ブロック１００ａと、該ショット練習台２０を２点で支持し、その傾斜角および傾斜方向を調整する傾斜角整用機構１００ｂ（図２および図３参照）とを有している。
【０１１０】
ここで、上記支持ブロック１００ａおよび傾斜角整用機構１００ｂは実施形態１におけるものと同様のものであり、該支持ブロック１００ａは、上記固定基板１０１、固定支柱１１０、および補強リブ１０２からなり、また、上記傾斜角整用機構１００ｂは第１および第２の可動支柱１２０および１３０を有するものである。
【０１１１】
ただし、この実施形態２では、上記第１および第２の可動支柱１２０および１３０の間に上記補助可動支柱１４３を配置しているため、上記第２の可動支柱１２０を駆動するモータ１３４は、上記補助可動支柱１４３と干渉しないよう取り付け位置を、実施形態１の傾斜角整用機構１００ｂにおける取り付け位置から変更している。また、この実施形態２では、上記第１および第２の可動支柱１２０、１３０は、それぞれショット練習台２０を、利用者の足場領域Ｒｐに対応する位置で支持するように構成されている。
【０１１２】
具体的には、上記各可動支柱１２０および１３０の各ロッド部１２３および１３３の先端はそれぞれ、上記ショット練習台２０のショット練習を行う利用者の体重のかかる両足の位置で該ショット練習台２０を支持するようその裏面側に取り付けられている。
【０１１３】
そして、この実施形態２では、上記補助可動支柱１４３はロッド部材からなり、その先端は、そのロッド支持部材１４３ａにより、上記ショット練習台２０の裏面に取り付けられた部品取付部材１４５に傾斜可能に接続されており、その接続点と該固定支柱１１０の中心軸とを含む第３の平面内で傾斜自在となっている。
【０１１４】
また、この実施形態２では、上記第１および第２の可動支柱１２０および１３０の間に位置する補強リブ１０２の上面には部品固定部材１４１が取り付けられている。この部品固定部材１４１には部品固定板１４０ａが固定されており、該部品固定板１４０ａの両端側には、対向する一対の部品保持片１４０ｂが取り付けられている。また、この一対の部品保持片１４０の間には、上記補助可動支柱１４３を構成するロッド部材をスライド可能に保持するスライド保持部材１４２が、上記第３の平面と直交する軸を中心として回転可能に保持されている。このスライド保持部材１４２には部品挿入穴が形成されており、上記補助可動支柱１４３を構成するロッド部材はこの部品挿入穴にスライド可能に挿入されてスライド保持部材１４２により保持されている。
【０１１５】
そして、このスライド保持部材１４２は、その部品挿入穴で上記補助可動支柱１４３のロッド部材がスライドするのを止めるブレーキ機構を内蔵している。このブレーキ機構は、電磁石などにより作動するもので、上記操作ボックス２００からの制御信号により制御されるよう構成されている。
【０１１６】
また、この実施形態２では、上記操作ボックス２００内に搭載されている制御部２６０は、上記第１および第２の可動支柱を駆動するモータの駆動時には、上記スライド保持部材１４２のブレーキ機構が緩められ、該モータの停止時には該ブレーキ機構が締められるように、該ブレーキ機構を制御する構成となっている。
【０１１７】
このような構成の本実施形態２のゴルフ練習機では、上記実施形態１のゴルフ練習機における第１および第２の可動支柱に加えて、第３の可動支柱である補助可動支柱１４３と、該補助可動支柱１４３を可動状態と可動不可能な状態とで切り替えるブレーキ機構とを備え、上記ショット練習台２０が停止している状態では、ブレーキ機構により該補助可動支柱１４３を止めて該ショット練習台２０を支持し、該ショット練習台２０の角度調整中は、該ブレーキ機構を緩めて該補助可動支柱１４３を可動状態にするので、上記実施形態１の効果に加えて、ゴルフ練習中にはショット練習台２０をより安定に、しかも角度調整可能に支持することできる。これにより、ショット練習台上でのショット練習中にショット練習台のがたつきを抑制することができる。
【０１１８】
また、上記制御部のプログラムにより、この補助可動支柱１４３とそのブレーキ機構とは、ショット練習台の緊急停止ブレーキとして用いることも可能である。
【０１１９】
なお、上記各実施形態では、ゴルフ練習機として、ショット練習台を傾斜可能に支持するものを示したが、ゴルフ練習機は、ショット練習台の傾斜角が固定のものであってもよい。
【０１２０】
この場合も、一定の傾斜角のショット練習台に配置したゴルフボールが動かないよう、該ゴルフボールを空気流により吸着するボール吸着機構を備えることにより、傾斜したショット練習台上でゴルフボールを確実に止めることができる。これにより、実際のゴルフコースの傾斜面でゴルフボールがとまった状態をゴルフ練習台上で作り出すことができ、傾斜面でのショット練習を行うことができる。
【０１２１】
また、上記実施形態では、空気吸引装置として吸引ブロアー１４０を用いているが、これは真空ポンプであってもよく、上記空気流の発生可能なものであればどのようなものでもよい。
【０１２２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【０１２３】
本発明は、ゴルフ練習機の分野において、傾斜したゴルフ練習台上にゴルフボールを転がらないように配置することができるゴルフボール保持機構、さらには、ゴルフ練習台を任意の方向に任意の角度傾斜させて、様々な斜面でのショット練習を行うことができるゴルフ練習機を提供することができる。
【図面の簡単な説明】
【０１２４】
【図１】図１は本発明の実施形態１によるゴルフ練習機を示す斜視図である。
【図２】図２（ａ）は該ゴルフ練習機の側面図、図２（ｂ）は図１のＩＩ−ＩＩ線部分の断面図である。
【図３】図３は、上記ゴルフ練習機におけるショット練習台の支持機構１００を拡大して示す斜視図である。
【図４】図４（ａ）は、上記支持機構１００を構成する固定支柱１１０とショット練習台２０との接続部分の構造を示す図であり、図４（ｂ）は、上記支持機構の傾斜角調整機構１００ｂにおける第１の可動支柱の構成を説明する図である。
【図５】図５は、上記ゴルフ練習装置の操作ボックスを説明する斜視図である。
【図６】図６は、上記操作ボックス内に搭載された回路構成を説明するブロック図である。
【図７】図７は本発明の実施形態２によるゴルフ練習機の説明図であり、そのゴルフ練習機本体をその裏面側から見た斜視図である。
【符号の説明】
【０１２５】
１  ゴルフ練習機
１０，１０ａ  ゴルフ練習機本体
２０  ショット練習台
２１  ベース板
２３  打席領域
２５  人工芝マット
２５ｄ  空気吸引孔
２６  リング状ゴム部材
１００  練習台支持機構
１００ｂ  角度調整機構
１１０  固定支柱
１２０  第１の可動支柱
１２４、１３４  モータ
１３０  第２の可動支柱
１４０  空気吸引装置
２００  操作ボックス
【図１】
2009119228.tif 000003
【図２】
2009119228.tif 000004
【図３】
2009119228.tif 000005
【図４】
2009119228.tif 000006
【図５】
2009119228.tif 000007
【図６】
2009119228.tif 000008
【図７】
2009119228.tif 000009